(57)【要約】【課題】表示画像のホワイトバランスのバラツキを抑制することができる表示装置用基板及び表示装置を提供することを目的とする。【解決手段】表示装置用基板は、第１基板と、第１基板に重なる少なくとも１層の透光性着色層と、を備える。１層の透光性着色層は、画像が表示される表示領域の全面に少なくとも重なる。１層の透光性着色層の色は、表示領域の全面に亘って同じである。【選択図】図３
2017207582.tif 000002
【特許請求の範囲】
【請求項１】
第１基板と、
前記第１基板に重なる少なくとも１層の透光性着色層と、
を備え、
１層の前記透光性着色層は、画像が表示される表示領域の全面に少なくとも重なり、
１層の前記透光性着色層の色は、前記表示領域の全面に亘って同じである
表示装置用基板。
【請求項２】
前記透光性着色層に重なる遮光層を備え、
前記透光性着色層は、前記遮光層とは異なる層に配置される
請求項１に記載の表示装置用基板。
【請求項３】
ｘｙ色度図における色度が（ｘ，ｙ）＝（０．３１０１，０．３１６２）である色の標準の光が前記透光性着色層を透過した時の透過光の色度は、下記式（１）で表される範囲内であり且つ下記式（２）で表される範囲外である請求項１に記載の表示装置用基板。
０．２４１０≦ｘ≦０．３７４０且つ０．２３８５≦ｙ≦０．４２３７・・・（１）
０．２９５１≦ｘ≦０．３２５１且つ０．３０１２≦ｙ≦０．３３１２・・・（２）
【請求項４】
ｘｙ色度図における色度が（ｘ，ｙ）＝（０．３１０１，０．３１６２）である色の標準の光が前記透光性着色層を透過した時の透過光の色度は、下記式（１）で表される範囲内であり且つ下記式（２）で表される範囲外である請求項１に記載の表示装置用基板。
０．２９２７≦ｘ≦０．３２４８且つ０．２３８５≦ｙ≦０．３２６５・・・（１）
０．２９５１≦ｘ≦０．３２５１且つ０．３０１２≦ｙ≦０．３３１２・・・（２）
【請求項５】
前記遮光層は、前記透光性着色層に対して前記第１基板とは反対側に重なる
請求項２に記載の表示装置用基板。
【請求項６】
前記遮光層に対して前記第１基板とは反対側に重なるスペーサを備える
請求項２に記載の表示装置用基板。
【請求項７】
２層以上の前記透光性着色層が設けられる
請求項１に記載の表示装置用基板。
【請求項８】
前記透光性着色層は、前記遮光層に対して前記第１基板とは反対側に重なる
請求項２に記載の表示装置用基板。
【請求項９】
前記透光性着色層に対して前記第１基板とは反対側に重なり、且つ前記遮光層に重なるスペーサを備える
請求項８に記載の表示装置用基板。
【請求項１０】
前記スペーサは、前記透光性着色層と同じ材料であり且つ前記透光性着色層と一体である
請求項９に記載の表示装置用基板。
【請求項１１】
前記第１基板に対する垂直方向における前記透光性着色層の厚さは、前記遮光層の厚さよりも大きい
請求項８から１０のいずれか１項に記載の表示装置用基板。
【請求項１２】
第１基板と、
前記第１基板に重なる透光性樹脂層と、
前記透光性樹脂層に対して前記第１基板とは反対側に重なる着色スペーサと、
を備える表示装置用基板。
【請求項１３】
第１基板を備える表示装置用基板と、
前記第１基板に重なる第２基板と、
前記表示装置用基板と前記第２基板との間に配置される液晶層と、
を備え、
前記表示装置用基板は、
前記第１基板に重なる少なくとも１層の透光性着色層と、
を備え、
１層の前記透光性着色層は、画像が表示される表示領域の全面に少なくとも重なり、
１層の前記透光性着色層の色は、前記表示領域の全面に亘って同じである
表示装置。
【請求項１４】
モノクロ液晶表示装置である請求項１３に記載の表示装置。
【請求項１５】
反射型表示装置である請求項１３に記載の表示装置。
【発明の詳細な説明】
【技術分野】
【０００１】
本発明は、表示装置用基板及び表示装置に関する。
【背景技術】
【０００２】
モノクロ表示装置等においては、所望の白色を出力するために着色層が設けられることがある。例えば特許文献１には、表示画像のホワイトバランスを調整するための着色層が設けられている。特許文献１において、着色層は、基板上にフォトリソグラフィ法によってパターニングされている。
【先行技術文献】
【特許文献】
【０００３】
【特許文献１】特開２０１４−６４７５号公報
【発明の概要】
【発明が解決しようとする課題】
【０００４】
しかしながら、着色層がパターニングされる場合、着色層の寸法にバラツキが生じる可能性がある。これにより、表示画像全体あるいは表示領域全体のホワイトバランスにバラツキが生じる。
【０００５】
本発明は、上記の課題に鑑みてなされたもので、表示画像のホワイトバランスのバラツキを抑制することができる表示装置用基板及び表示装置を提供することを目的とする。
【課題を解決するための手段】
【０００６】
本発明の一態様の表示装置用基板は、第１基板と、前記第１基板に重なる少なくとも１層の透光性着色層と、前記透光性着色層に重なる遮光層と、を備え、前記透光性着色層は、前記遮光層とは異なる層に配置され、１層の前記透光性着色層に含まれる色の数は１つである。
【０００７】
本発明の一態様の表示装置用基板は、第１基板と、前記第１基板に重なる透光性樹脂層と、前記透光性樹脂層に対して前記第１基板とは反対側に重なる着色スペーサと、を備える。
【０００８】
本発明の一態様の表示装置は、第１基板を備える表示装置用基板と、前記第１基板に重なる第２基板と、前記表示装置用基板と前記第２基板との間に配置される液晶層と、を備え、前記表示装置用基板は、前記第１基板に重なる少なくとも１層の透光性着色層と、前記透光性着色層に重なる遮光層と、を備え、前記透光性着色層は、前記遮光層とは異なる層に配置され、１層の前記透光性着色層に含まれる色の数は１つである。
【図面の簡単な説明】
【０００９】
【図１】図１は、本実施形態に係る表示装置を示す模式図である。
【図２】図２は、本実施形態に係る表示装置を示す平面図である。
【図３】図３は、図２におけるＡ−Ａ断面図である。
【図４】図４は、本実施形態に係る表示装置の表示領域を拡大して示す平面図である。
【図５】図５は、本実施形態に係る透光性着色層の色度を説明するためのｘｙ色度図である。
【図６】図６は、図５におけるＣ部の拡大図である。
【図７】図７は、変形例１に係る表示装置の断面図である。
【図８】図８は、変形例１に係る透光性着色層の色度を説明するためのｘｙ色度図の拡大図である。
【図９】図９は、変形例２に係る表示装置の断面図である。
【図１０】図１０は、変形例３に係る表示装置の断面図である。
【図１１】図１１は、変形例４に係る表示装置の断面図である。
【図１２】図１２は、変形例５に係る表示装置の断面図である。
【図１３】図１３は、変形例５に係る表示装置の表示領域を拡大して示す平面図である。
【図１４】図１４は、変形例６に係る表示装置の断面図である。
【図１５】図１５は、変形例６に係る表示装置の表示領域を拡大して示す平面図である。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
図１は、本実施形態に係る表示装置を示す模式図である。図２は、本実施形態に係る表示装置を示す平面図である。図３は、図２におけるＡ−Ａ断面図である。より具体的には、図３は、矩形の画素Ｐｉｘの平行な２辺の中点を含む平面で表示装置１を切った断面である。図４は、本実施形態に係る表示装置の表示領域を拡大して示す平面図である。
【００１２】
表示装置１は、例えばモノクロ液晶表示装置である。モノクロ液晶表示装置は、白色及び黒色、又は白色、黒色及び灰色によって画像を表示する表示装置である。すなわち、モノクロ液晶表示装置は、白色と黒色との２色、又は白色と黒色とその中間の階調である灰色とからなる画像を表示する表示装置である。例えば、表示装置１はいわゆる透過型の液晶表示装置である。図１に示すように、表示装置１は、ゲートドライバ１２と、ソースドライバ１３と、複数の走査線ＧＣＬと、複数の信号線ＳＧＬと、複数の画素Ｐｉｘと、を備える。また、図３に示すように、表示装置１は、第１基板２１を含む表示装置用基板１０と、第２基板２２と、液晶層５と、を備える。表示装置用基板１０は、透光性着色層３２と、遮光層３３と、透光性樹脂層４２と、対向電極６１と、スペーサ５３と、配向膜５１と、を備える。
【００１３】
図１に示すように、複数の走査線ＧＣＬは、第１基板２１に平行な平面上に配置されている。走査線ＧＣＬは、ゲートドライバ１２に接続されている。複数の信号線ＳＧＬは、第１基板２１に平行な平面上に配置されている。信号線ＳＧＬは、ソースドライバ１３に接続されている。信号線ＳＧＬは、例えば走査線ＧＣＬに対して直交している。以下の説明において、走査線ＧＣＬに平行なＸ軸、信号線ＳＧＬに平行なＹ軸、及びＸ軸及びＹ軸に対して直交するＺ軸からなるＸＹＺ直交座標系が用いられる。
【００１４】
表示装置１は、図２に示すように表示領域Ａ１と、額縁領域Ａ２とを備える。表示領域Ａ１は、画素Ｐｉｘにより画像が表示される領域であって、例えば矩形状である。額縁領域Ａ２は、表示領域Ａ１を囲む帯状の領域である。表示領域Ａ１の形状は矩形状以外の形状であってもよい。例えば表示領域Ａ１の形状は円形状等であってもよい。
【００１５】
複数の画素Ｐｉｘは、図２に示す表示領域Ａ１にマトリクス状に配列されている。画素Ｐｉｘは、白色の画素である。画素Ｐｉｘは、スイッチング素子Ｔｒと、液晶容量７６と、保持容量７７とを有する。スイッチング素子Ｔｒは、例えば薄膜トランジスタ（ＴＦＴ：Thin  Film  Transistor）である。スイッチング素子Ｔｒのソースは信号線ＳＧＬに接続されている。スイッチング素子Ｔｒのゲートは走査線ＧＣＬに接続されている。スイッチング素子Ｔｒのドレインは液晶容量７６の一端及び保持容量７７の一端に接続されている。
【００１６】
液晶容量７６は、対向電極６１と画素電極６２との間で発生する容量成分を示す。液晶容量７６の一端がスイッチング素子Ｔｒのドレインに接続され、液晶容量７６の他端にコモン電位Ｖｃｏｍが供給される。保持容量７７の一端がスイッチング素子Ｔｒのドレインに接続され、保持容量７７の他端にコモン電位Ｖｃｏｍが供給される。保持容量７７は、対向電極６１と画素電極６２との間に印加された映像表示用の電圧を保持するための容量成分である。
【００１７】
画素Ｐｉｘは、同じ行に属する他の画素Ｐｉｘと走査線ＧＣＬで接続されている。ゲートドライバ１２は、走査線ＧＣＬを介して走査信号Ｖｓｃａｎ（図１参照）をスイッチング素子Ｔｒに供給する。また、画素Ｐｉｘは、同じ列に属する他の画素Ｐｉｘと信号線ＳＧＬで接続されている。ソースドライバ１３は、信号線ＳＧＬを介して画素信号Ｖｐｉｘ（図１参照）を画素電極６２に供給する。
【００１８】
ゲートドライバ１２は、走査線ＧＣＬを順次走査するように駆動する。ゲートドライバ１２は、走査信号Ｖｓｃａｎを画素Ｐｉｘのスイッチング素子Ｔｒのゲートに走査線ＧＣＬを介して印加することにより、画素Ｐｉｘのうちの１行（１水平ライン）を表示駆動の対象として順次選択する。また、ソースドライバ１３は、画素信号Ｖｐｉｘを、選択された１水平ラインを構成する画素Ｐｉｘに信号線ＳＧＬを介して供給する。そして、画素Ｐｉｘでは、供給される画素信号Ｖｐｉｘに応じて１水平ラインずつ表示が行われる。
【００１９】
第１基板２１は、例えばガラスで形成された基板である。透光性着色層３２は、１つの色で着色された着色層である。透光性着色層３２は、第１基板２１の一方の表面に重なっている。例えば、Ｚ方向から見て、透光性着色層３２の面積は第１基板２１の面積と同じである。以下の説明において、第１基板２１から見て透光性着色層３２の方向は、＋Ｚ方向と記載される。
【００２０】
透光性着色層３２には、例えば染料又は顔料が添付された樹脂等が用いられる。透光性着色層３２は、表示領域Ａ１の全面に均一に配置される。すなわち、透光性着色層３２は全ての画素電極６２に重なるように配置され、且つ透光性着色層３２の厚さは一定である。透光性着色層３２は、表示領域Ａ１に表示される画像のホワイトバランスを調節する層である。ホワイトバランスとは、白色の色度を意味する。色度は、色の色相及び彩度を数量的に表す指標であり、例えばｘｙ色度図上の座標である。透光性着色層３２の色は、所望の白色に応じて調節される。例えば、透光性着色層３２がない場合に画素Ｐｉｘの色が所望の白色とは異なる時、透光性着色層３２の色は画素Ｐｉｘの色を所望の白色に近付ける色に設定される。
【００２１】
例えば、透光性着色層３２は、自身を透過する白色光を青色光に変化させることが好ましい。すなわち透光性着色層３２は、青色であることが好ましい。本実施形態に係る透光性着色層３２は、白色の画素Ｐｉｘのホワイトバランスを調整するための層であるので、カラー表示に用いられる青色のカラーフィルタ等と比較して低彩度の青色であることが好ましい。言い換えると、透光性着色層３２の色は、例えばＣＩＥ（国際照明委員会）が定める原色の青色（波長が４３５．８ｎｍである光の色）より白色に近い青色であることが好ましい。表示装置１の用途、使用環境、及び使用者の好み等により、所望されるホワイトバランスは異なるため、本実施形態に係る透光性着色層３２は、表示される画像のホワイトバランスが所望の値となるように、青色に限らず、所望の色に着色される。
【００２２】
図５は、本実施形態に係る透光性着色層の色度を説明するためのｘｙ色度図である。図６は、図５におけるＣ部の拡大図である。図５に示すＸＹＺ表色系のｘｙ色度図を用いて本実施形態に係る透光性着色層３２の色度を説明する。透光性着色層３２がないときの白色の画素Ｐｉｘの色度が座標Ｗ１(（ｘ，ｙ）＝（Ｗｘ，Ｗｙ）)であるとする。例えば透光性着色層３２の色度が座標ＷＲ(（ｘ，ｙ）＝（ＷＲｘ，ＷＲｙ）)にあるとき、白色の画素Ｐｉｘの色度は座標Ｗ２(（ｘ，ｙ）＝（Ｗｘ＋ＷＲｘ，Ｗｙ＋ＷＲｙ）)へと変化する。すなわち、本実施形態に係る透光性着色層３２は白色の画素Ｐｉｘの色度を変化させる。透光性着色層３２によって変化した後の白色の画素Ｐｉｘの色度は、基準となる色度から所定の範囲内にある。
【００２３】
例えば、ＪＩＳＺ８７０１で規定される標準の光Ｃ（Ｃ光源）の色度は、図５に示すように座標Ｗ（（ｘ，ｙ）＝（０．３１０１，０．３１６２））である。標準の光Ｃが透光性着色層３２を透過した時の透過光の色度は、式（１）で表される範囲内であり且つ式（２）で表される範囲外であることが好ましい。すなわち、透光性着色層３２の色度は、図６に示す領域Ｃ１の範囲内であり且つ標準の光Ｃ（Ｃ光源）の色度の座標Ｗを含む領域Ｃ２の範囲外であることが好ましい。
【００２４】
０．２４１０≦ｘ≦０．３７４０且つ０．２３８５≦ｙ≦０．４２３７・・・（１）
【００２５】
０．２９５１≦ｘ≦０．３２５１且つ０．３０１２≦ｙ≦０．３３１２・・・（２）
【００２６】
透光性着色層３２が赤色寄りの色に着色される場合、透光性着色層３２を透過した光の色度は式（３）で表される範囲内であり且つ式（２）で表される範囲外であることが好ましい。すなわち、透光性着色層３２の色度は、図６に示す領域Ｃ３の範囲内であり且つ領域Ｃ２の範囲外であることが好ましい。
【００２７】
０．２９９２≦ｘ≦０．３７４０且つ０．３００８≦ｙ≦０．３３１５・・・（３）
【００２８】
透光性着色層３２が緑色寄りの色に着色される場合、透光性着色層３２を透過した光の色度は式（４）で表される範囲内であり且つ式（２）で表される範囲外であることが好ましい。すなわち、透光性着色層３２の色度は、図６に示す領域Ｃ４の範囲内であり且つ領域Ｃ２の範囲外であることが好ましい。
【００２９】
０．２４１０≦ｘ≦０．３２１３且つ０．３０８１≦ｙ≦０．４２３７・・・（４）
【００３０】
透光性着色層３２が青色寄りの色に着色される場合、透光性着色層３２を透過した光の色度は式（５）で表される範囲内であり且つ式（２）で表される範囲外であることが好ましい。すなわち、透光性着色層３２の色度は、図６に示す領域Ｃ５の範囲内であり且つ領域Ｃ２の範囲外であることが好ましい。
【００３１】
０．２９２７≦ｘ≦０．３２４８且つ０．２３８５≦ｙ≦０．３２６５・・・（５）
【００３２】
透光性着色層３２がシアン寄りの色に着色される場合、透光性着色層３２を透過した光の色度は式（６）で表される範囲内であり且つ式（２）で表される範囲外であることが好ましい。すなわち、透光性着色層３２の色度は、図６に示す領域Ｃ６の範囲内であり且つ領域Ｃ２の範囲外であることが好ましい。
【００３３】
０．２６６９≦ｘ≦０．３２３１且つ０．３０２３≦ｙ≦０．３４６１・・・（６）
【００３４】
透光性着色層３２がマゼンタ寄りの色に着色される場合、透光性着色層３２を透過した光の色度は式（７）で表される範囲内であり且つ式（２）で表される範囲外であることが好ましい。すなわち、透光性着色層３２の色度は、図６に示す領域Ｃ７の範囲内であり且つ領域Ｃ２の範囲外であることが好ましい。
【００３５】
０．２９７０≦ｘ≦０．３４８４且つ０．２６９７≦ｙ≦０．３２９０・・・（７）
【００３６】
透光性着色層３２がイエロー寄りの色に着色される場合、透光性着色層３２を透過した光の色度は式（８）で表される範囲内であり且つ式（２）で表される範囲外であることが好ましい。すなわち、透光性着色層３２の色度は、図６に示す領域Ｃ８の範囲内であり且つ領域Ｃ２の範囲外であることが好ましい。
【００３７】
０．２９２５≦ｘ≦０．３２５３且つ０．３０４８≦ｙ≦０．３７７３・・・（８）
【００３８】
透光性着色層３２の色度は透光性着色層３２の厚みによっても変化する。例えば、赤色寄りの透光性着色層３２の一例においては、厚みが０．３μｍの時、透光性着色層３２の色度が座標Ｒ３(（ｘ，ｙ）＝（０．３３１８，０．３１６５)）にある。この透光性着色層３２の厚みが０．４μｍの時、透光性着色層３２の色度は座標Ｒ４(（ｘ，ｙ）＝（０．３４４４，０．３１６３)）にある。この透光性着色層３２の厚みが０．５μｍの時、透光性着色層３２の色度は座標Ｒ５(（ｘ，ｙ）＝（０．３５９０，０．３１５８)）にある。
【００３９】
例えば、緑色寄りの透光性着色層３２の一例においては、厚みが０．３μｍの時、透光性着色層３２の色度が座標Ｇ３(（ｘ，ｙ）＝（０．２８７８，０．３５５３)）にある。この透光性着色層３２の厚みが０．４μｍの時、透光性着色層３２の色度は座標Ｇ４(（ｘ，ｙ）＝（０．２７３５，０．３７９６)）にある。この透光性着色層３２の厚みが０．５μｍの時、透光性着色層３２の色度は座標Ｇ５(（ｘ，ｙ）＝（０．２５６０，０．４０８７)）にある。
【００４０】
例えば、青色寄りの透光性着色層３２の一例においては、厚みが０．３μｍの時、透光性着色層３２の色度は座標Ｂ３(（ｘ，ｙ）＝（０．３０８７，０．２８９６)）にある。この透光性着色層３２の厚みが０．４μｍの時、透光性着色層３２の色度は座標Ｂ４(（ｘ，ｙ）＝（０．３０８２，０．２７３２)）にある。この透光性着色層３２の厚みが０．５μｍの時、透光性着色層３２の色度は座標Ｂ５(（ｘ，ｙ）＝（０．３０７７，０．２５３５)）にある。
【００４１】
透光性着色層３２は、例えばスピンコートで形成される。具体的には青色のカラーレジストが第１基板２１に塗布され、第１基板２１がスピンさせられる。そして、カラーレジストが減圧乾燥された後、カラーレジストに紫外線が照射される。その後、カラーレジストがベークにより硬化する。透光性着色層３２は第１基板２１の全面に配置されるので、透光性着色層３２を形成する際のパターニングが不要である。
【００４２】
遮光層３３は、いわゆるブラックマトリックスである。遮光層３３は、透光性着色層３２に対して＋Ｚ方向側に重なっている。すなわち、遮光層３３は、透光性着色層３２とは異なる層に配置される。遮光層３３は、図４に示すように格子状に配置されている。具体的には、遮光層３３は、走査線ＧＣＬ及び信号線ＳＧＬに重なる位置に配置されている。図４に示すように、Ｚ方向で見て遮光層３３に囲まれる１つの画素Ｐｉｘが１つの画素電極６２に対応している。透光性着色層３２に含まれる色は１色であるので、隣接する画素Ｐｉｘの階調が等しい時、隣接する画素Ｐｉｘから放たれる光の色は同じである。
【００４３】
透光性樹脂層４２は、樹脂で形成された透明な層である。透光性樹脂層４２は、透光性着色層３２及び遮光層３３に対して＋Ｚ方向側に重なっている。例えば、Ｚ方向から見て、表示領域Ａ１の全面に少なくとも重なる。１層の透光性着色層３２の色は、表示領域Ａ１の全面に亘って同じである。透光性樹脂層４２は、例えば光硬化性樹脂であって、透光性着色層３２及び遮光層３３に塗布された後に紫外線を照射されることで硬化する。透光性樹脂層４２は、遮光層３３と液晶層５との間に配置されることで、遮光層３３による液晶層５の汚染を防ぐ。すなわち透光性樹脂層４２はオーバーコート層として機能する。透光性樹脂層４２は、遮光層３３による液晶層５の汚染を防ぐため及び遮光層３３が配置された場所と遮光層３３が配置されていない場所との段差を平坦化するために所定以上の厚みを有することが好ましい。
【００４４】
対向電極６１は、例えば透明電極である。具体的には、対向電極６１は、酸化インジウムスズ（ＩＴＯ：Indium  Tin  Oxide）である。対向電極６１は、透光性樹脂層４２に対して＋Ｚ方向側に重なっている。例えば、対向電極６１は、スパッタリング法によって透光性樹脂層４２の表面に形成される。
【００４５】
スペーサ５３は、液晶層５の厚さ（セルギャップ）を保つための部材である。スペーサ５３は、対向電極６１に対して＋Ｚ方向側に重なっている。また、スペーサ５３は、遮光層３３に重なっている。スペーサ５３は、格子状である遮光層３３の交差部分に配置されていることが好ましい。図３に示すように、Ｘ方向におけるスペーサ５３の幅は、遮光層３３の幅より小さい。Ｙ方向に関しても同様のことが言える。
【００４６】
配向膜５１は、液晶層５の液晶分子を一定方向に配列させるための膜である。配向膜５１は、対向電極６１に対して＋Ｚ方向側に重なっている。
【００４７】
第２基板２２は、例えばガラスで形成された基板であって、第１基板２１に平行である。第２基板２２には画素電極６２が形成されている。画素電極６２は、例えば酸化インジウムスズ（ＩＴＯ）である。例えば、画素電極６２は、スパッタリング法によって第２基板２２の表面に形成される。複数の画素電極６２は、マトリクス状に配置されている。１つの画素電極６２が１つの画素Ｐｉｘに対応している。画素電極６２の−Ｚ方向側には、配向膜５２が配置されている。第２基板２２の＋Ｚ方向側には、例えばバックライトが配置される。バックライトの光は、第２基板２２、液晶層５、表示装置用基板１０の順に通過し、第１基板２１の−Ｚ方向側に放たれる。
【００４８】
液晶層５は、電界の状態に応じて光の透過率を変化させることができる。例えば、表示装置１は、ＴＮ（Twisted  Nematic）方式の表示装置である。液晶層５の両側に配置された対向電極６１及び画素電極６２によって、液晶層５の電界が変化させられる。
【００４９】
なお、表示装置１は、必ずしもＴＮ方式の表示装置でなくてもよい。例えば、表示装置１は、ＶＡ（Virtical  Alignment）方式、ＩＰＳ（In  Plane  Switching）方式、又はＦＦＳ（Fringe  Field  Switching）方式の表示装置であってもよい。また、表示装置１は、反射型の液晶表示装置であってもよい。表示装置１が反射型の液晶表示装置である場合、画素電極６２が透明電極ではなく光を反射する反射電極とされるか、又は第２基板２２の＋Ｚ方向側に反射板等が配置される。
【００５０】
なお、透光性着色層３２は必ずしも１層でなくてもよく、２層以上であってもよい。すなわち、表示装置用基板１０は、少なくとも１層の透光性着色層３２を備える。透光性着色層３２が２層以上である時、２層目以上の透光性着色層３２も表示領域Ａ１の全面に配置され且つ全面において同一の色で着色されていることが好ましい。２層以上の透光性着色層３２が設けられることで、表示領域Ａ１に表示される画像のホワイトバランス（白色の色度）を所望の値に調整することができる。
【００５１】
以上で説明したように、表示装置用基板１０は、第１基板２１と、第１基板２１に重なる少なくとも１層の透光性着色層３２と、を備える。１層の透光性着色層３２は、画像が表示される表示領域Ａ１の全面に少なくとも重なる。１層の透光性着色層３２の色は、表示領域Ａ１の全面に亘って同じである。透光性着色層３２が表示領域Ａ１の全面に少なくとも重なるので、透光性着色層３２に対するパターニングが不要となる。このため、表示領域Ａ１における透光性着色層３２の膜厚及び寸法による透過特性のバラツキが抑制される。したがって、表示装置用基板１０及び表示装置１は、表示画像全体、もしくは表示領域Ａ１全体における表示画像のホワイトバランスの色ムラ及び不均一性を抑制することができる。
【００５２】
また、表示装置用基板１０は、透光性着色層３２に重なる遮光層３３を備え、透光性着色層３２は、遮光層３３とは異なる層に配置される。このため、例えば遮光層３３と同じ層に透光性着色層３２がパターニングされる場合に発生する、スピンコート塗布される着色レジストのスジムラ等が抑制される。
【００５３】
また、透光性樹脂層４２は完全な透明ではなくイエロー寄りの色を帯びることが多い。このため、イエローを除去するために、透光性着色層３２の色は青色であることが好ましい。青色はイエローの補色である。透光性着色層３２の色は、透光性着色層３２がない場合に表示装置１から人間に向かって放たれる光の色に対して、補色又は補色に近い色であることが好ましい。
【００５４】
（変形例１）
図７は、変形例１に係る表示装置の断面図である。より具体的には、図７は、矩形の画素Ｐｉｘの平行な２辺の中点を含む平面で表示装置１Ａを切った断面である。図８は、変形例１に係る透光性着色層の色度を説明するためのｘｙ色度図の拡大図である。変形例１に係る表示装置用基板１０Ａは、２層の透光性着色層（第１透光性着色層３２１及び第２透光性着色層３２２）を備える点で上述した実施形態と異なる。
【００５５】
第１透光性着色層３２１は、１つの色で着色された着色層である。第１透光性着色層３２１は、第１基板２１の一方の表面に重なっている。例えば、第１透光性着色層３２１の色はイエローである。例えば、Ｚ方向から見て、第１透光性着色層３２１は、表示領域Ａ１の全面に少なくとも重なる。１層の第１透光性着色層３２１の色は、表示領域Ａ１の全面に亘って同じである。
【００５６】
第２透光性着色層３２２は、１つの色で着色された着色層である。第２透光性着色層３２２は、第１基板２１の一方の表面に重なっている。例えば、第２透光性着色層３２２の色はシアンである。例えば、Ｚ方向から見て、第２透光性着色層３２２は、表示領域Ａ１の全面に少なくとも重なる。１層の第２透光性着色層３２２の色は、表示領域Ａ１の全面に亘って同じである。
【００５７】
第１透光性着色層３２１及び第２透光性着色層３２２の色は、必ずしもイエロー及びシアンでなくてもよい。第１透光性着色層３２１及び第２透光性着色層３２２の色は、異なる色であってもよいし、同じ色であってもよい。表示装置１Ａは、複数の透光性着色層（第１透光性着色層３２１及び第２透光性着色層３２２）を備えることで、表示画像のホワイトバランスを所望の値にすることができる。
【００５８】
第１透光性着色層３２１及び第２透光性着色層３２２の一方が青色寄りの色に着色され且つ他方が緑色寄りの色に着色される場合、第１透光性着色層３２１及び第２透光性着色層３２２を透過した光の色度は、図８に示す領域Ｃ９の範囲内であり且つ領域Ｃ２の範囲外であることが好ましい。領域Ｃ９は、座標Ｗ、座標Ｐ１(（ｘ，ｙ）＝（０．２５６０，０．４０８７)）及び座標Ｐ２(（ｘ，ｙ）＝（０．３０７７，０．２５３５)）に頂点を有する三角形の領域である。
【００５９】
第１透光性着色層３２１及び第２透光性着色層３２２の一方が赤色寄りの色に着色され且つ他方が青色寄りの色に着色される場合、第１透光性着色層３２１及び第２透光性着色層３２２を透過した光の色度は、図８に示す領域Ｃ１０の範囲内であり且つ領域Ｃ２の範囲外であることが好ましい。領域Ｃ１０は、座標Ｗ、座標Ｐ２(（ｘ，ｙ）＝（０．３０７７，０．２５３５)）及び座標Ｐ３(（ｘ，ｙ）＝（０．３５９０，０．３１５８)）に頂点を有する三角形の領域である。
【００６０】
第１透光性着色層３２１及び第２透光性着色層３２２の一方が緑色寄りの色に着色され且つ他方が赤色寄りの色に着色される場合、第１透光性着色層３２１及び第２透光性着色層３２２を透過した光の色度は、図８に示す領域Ｃ１１の範囲内であり且つ領域Ｃ２の範囲外であることが好ましい。領域Ｃ１１は、座標Ｗ、座標Ｐ１(（ｘ，ｙ）＝（０．２５６０，０．４０８７)）及び座標Ｐ３(（ｘ，ｙ）＝（０．３５９０，０．３１５８)）に頂点を有する三角形の領域である。
【００６１】
（変形例２）
図９は、変形例２に係る表示装置の断面図である。より具体的には、図９は、矩形の画素Ｐｉｘの平行な２辺の中点を含む平面で表示装置１Ｂを切った断面である。変形例２に係る表示装置用基板１０Ｂは、３層の透光性着色層（第１透光性着色層３２１Ｂ、第２透光性着色層３２２Ｂ及び第３透光性着色層３２３Ｂ）を備える点で上述した実施形態と異なる。
【００６２】
第１透光性着色層３２１Ｂは、１つの色で着色された着色層である。第１透光性着色層３２１Ｂは、第１基板２１の一方の表面に重なっている。例えば、第１透光性着色層３２１Ｂの色はシアンである。例えば、Ｚ方向から見て、第１透光性着色層３２１Ｂは、表示領域Ａ１の全面に少なくとも重なる。１層の第１透光性着色層３２１Ｂの色は、表示領域Ａ１の全面に亘って同じである。
【００６３】
第２透光性着色層３２２Ｂは、１つの色で着色された着色層である。第２透光性着色層３２２Ｂは、第１基板２１の一方の表面に重なっている。例えば、第２透光性着色層３２２Ｂの色はイエローである。例えば、Ｚ方向から見て、第２透光性着色層３２２Ｂは、表示領域Ａ１の全面に少なくとも重なる。１層の第２透光性着色層３２２Ｂの色は、表示領域Ａ１の全面に亘って同じである。
【００６４】
第３透光性着色層３２３Ｂは、１つの色で着色された着色層である。第３透光性着色層３２３Ｂは、第１基板２１の一方の表面に重なっている。例えば、第３透光性着色層３２３Ｂの色はシアンである。例えば、Ｚ方向から見て、第３透光性着色層３２３Ｂは、表示領域Ａ１の全面に少なくとも重なる。１層の第３透光性着色層３２３Ｂの色は、表示領域Ａ１の全面に亘って同じである。
【００６５】
第１透光性着色層３２１Ｂ、第２透光性着色層３２２Ｂ及び第３透光性着色層３２３Ｂの色は、必ずしもイエロー及びシアンでなくてもよい。第１透光性着色層３２１Ｂ、第２透光性着色層３２２Ｂ及び第３透光性着色層３２３Ｂの色は、互いに異なる色であってもよいし、同じ色であってもよい。表示装置１Ａは、複数の透光性着色層（第１透光性着色層３２１Ｂ、第２透光性着色層３２２Ｂ及び第３透光性着色層３２３Ｂ）を備えることで、表示画像のホワイトバランスを所望の値にすることができる。
【００６６】
（変形例３）
図１０は、変形例３に係る表示装置の断面図である。より具体的には、図１０は、矩形の画素Ｐｉｘの平行な２辺の中点を含む平面で表示装置１Ｃを切った断面である。変形例３に係る表示装置用基板１０Ｃは、上述した透光性着色層３２とは異なる透光性着色層３２Ｃを備える。
【００６７】
変形例３において、遮光層３３は、第１基板２１の表面に形成されている。透光性着色層３２Ｃは、１つの色で着色された着色層であって、例えば樹脂で形成されている。透光性着色層３２Ｃは、遮光層３３に対して＋Ｚ方向に重なっている。例えば、透光性着色層３２Ｃの色は青色である。例えば、Ｚ方向から見て、透光性着色層３２Ｃは、画像が表示される表示領域Ａ１の全面に少なくとも重なる。１層の透光性着色層３２Ｃの色は、表示領域Ａ１の全面に亘って同じである。また、Ｚ方向における透光性着色層３２Ｃの厚さは、Ｚ方向における遮光層３３の厚さより大きい。透光性着色層３２Ｃは、例えば光硬化性樹脂であって、第１基板２１及び遮光層３３に塗布された後に紫外線を照射されることで硬化する。
【００６８】
透光性着色層３２Ｃに対するパターニングが不要であるため、透光性着色層３２Ｃの寸法のバラツキが抑制される。また、透光性着色層３２Ｃは、遮光層３３と液晶層５との間に配置されることで、遮光層３３による液晶層５の汚染を防ぐ。透光性着色層３２Ｃは、遮光層３３による液晶層５の汚染を防ぐため、及び遮光層３３の厚みによる凸凹を平坦化するために充分な厚みを有することが好ましい。透光性着色層３２Ｃは、オーバーコート層のとして機能する。
【００６９】
スペーサ５３Ｃは、液晶層５の厚さ（セルギャップ）を保つための部材である。スペーサ５３Ｃは、対向電極６１に対して＋Ｚ方向側に重なっている。スペーサ５３Ｃは、透光性着色層３２Ｃの＋Ｚ方向側に重なっており、且つ遮光層３３に重なっている。スペーサ５３Ｃは、格子状である遮光層３３の交差部分に配置されていることが好ましい。
【００７０】
（変形例４）
図１１は、変形例４に係る表示装置の断面図である。より具体的には、図１１は、矩形の画素Ｐｉｘの平行な２辺の中点を含む平面で表示装置１Ｄを切った断面である。変形例４に係る表示装置用基板１０Ｄは、上述した透光性着色層３２とは異なる透光性着色層３２Ｄを備える。
【００７１】
変形例４において、遮光層３３は、第１基板２１の表面に形成されている。透光性着色層３２Ｄは、１つの色で着色された着色層であって、例えば樹脂で形成されている。透光性着色層３２Ｄは、遮光層３３に対して＋Ｚ方向に重なっている。例えば、透光性着色層３２Ｄの色は青色である。例えば、Ｚ方向から見て、透光性着色層３２Ｄは、画像が表示される表示領域Ａ１の全面に少なくとも重なる。１層の透光性着色層３２Ｄの色は、表示領域Ａ１の全面に亘って同じである。また、Ｚ方向における透光性着色層３２Ｄの厚さは、Ｚ方向における遮光層３３の厚さより大きい。透光性着色層３２Ｄは、例えば光硬化性樹脂であって、第１基板２１及び遮光層３３に塗布された後に紫外線を照射されることで硬化する。
【００７２】
透光性着色層３２Ｄに対するパターニングが不要であるため、透光性着色層３２Ｄの寸法のバラツキが抑制される。また、透光性着色層３２Ｄは、遮光層３３と液晶層５との間に配置されることで、遮光層３３による液晶層５の汚染を防ぐ。
【００７３】
スペーサ３２５は、液晶層５の厚さ（セルギャップ）を保つための部材である。図１１に示すように、スペーサ３２５は、透光性着色層３２Ｄと同じ材料であり且つ透光性着色層３２Ｄと一体に形成されている。例えば、スペーサ３２５は、いわゆるハーフ露光によって形成される。すなわち、透光性着色層３２Ｄのうちスペーサ３２５を除く部分においては、照射される紫外線の量が少なくされる。そして、透光性着色層３２Ｄのうち硬化しない部分が除去されることで、スペーサ３２５が形成される。スペーサ３２５及び透光性着色層３２Ｄが同じ工程で製造されるので、製造効率が向上する。
【００７４】
（変形例５）
図１２は、変形例５に係る表示装置の断面図である。より具体的には、図１２は、矩形の画素Ｐｉｘの平行な２辺の中点を含む平面で表示装置１Ｅを切った断面である。図１３は、変形例５に係る表示装置の表示領域を拡大して示す平面図である。変形例５に係る表示装置用基板１０Ｅは、表示領域Ａ１に遮光層３３を備えない点で上述した実施形態と異なる。表示装置用基板１０Ｅは、上述したスペーサ５３とは異なる複数の着色スペーサ５３Ｅを備える。
【００７５】
透光性樹脂層４２Ｅは、樹脂で形成された透明な層である。透光性樹脂層４２Ｅは、第１基板２１に対して＋Ｚ方向側に重なっている。例えば、Ｚ方向から見て、透光性樹脂層４２Ｅの面積は第１基板２１の面積と同じである。透光性樹脂層４２Ｅの＋Ｚ方向側に対向電極６１が重なっている。
【００７６】
着色スペーサ５３Ｅは、液晶層５の厚さ（セルギャップ）を保つための部材である。着色スペーサ５３Ｅは、対向電極６１に対して＋Ｚ方向側に重なっている。着色スペーサ５３Ｅは、例えば走査線ＧＣＬ及び信号線ＳＧＬの交差部分に重なっている。図１３に示すように、複数の着色スペーサ５３Ｅはマトリクス状に配置されている。すなわち、複数の着色スペーサ５３Ｅは、Ｘ方向及びＹ方向において等間隔に並んでいる。図１２に示すように、Ｘ方向における着色スペーサ５３Ｅの幅は、遮光層３３の幅より小さい。Ｙ方向に関しても同様のことが言える。着色スペーサ５３Ｅは、１つの色で着色されており、且つ透光性を有する。例えば、着色スペーサ５３Ｅの色は青色である。複数の着色スペーサ５３Ｅの色は同じである。
【００７７】
図１３に示すように、Ｚ方向で見て走査線ＧＣＬ及び信号線ＳＧＬに囲まれる１つの画素Ｐｉｘが１つの画素電極６２に対応している。着色スペーサ５３Ｅは第１基板２１の全面に配置されていないものの、画素Ｐｉｘから放たれる光の少なくとも一部は着色スペーサ５３Ｅを透過した光である。このため、１つの画素Ｐｉｘから放たれる光の色は、着色スペーサ５３Ｅの色に近付く。また、複数の着色スペーサ５３Ｅがマトリクス状に配置されているので、隣接する画素Ｐｉｘの階調が同一の場合、隣接する画素Ｐｉｘから放たれる光の色は同じとなる。したがって、表示装置１Ｅは、上述した表示装置１と同様に表示画像のホワイトバランスのバラツキを抑制することができる。
【００７８】
（変形例６）
図１４は、変形例６に係る表示装置の断面図である。より具体的には、図１４は、矩形の画素Ｐｉｘの平行な２辺の中点を含む平面で表示装置１Ｆを切った断面である。図１５は、変形例６に係る表示装置の表示領域を拡大して示す平面図である。変形例６に係る表示装置用基板１０Ｆは、上述した表示装置用基板１０と比較して、遮光層３３を備えない点で異なる。
【００７９】
図１５に示すように、透光性着色層３２は、表示領域Ａ１の全面に均一に配置され、且つ１層の透光性着色層３２の色は、表示領域Ａ１の全面に亘って同じである。このため、隣接する画素Ｐｉｘの階調が同一の場合、隣接する画素Ｐｉｘから放たれる光の色は同じである。また、遮光層３３がないので、画素Ｐｉｘのうち光が透過する面積が大きくなる。このため、表示装置用基板１０Ｆは、表示装置用基板１０と比較して、開口率を大きくすることができる。
【００８０】
また、上述した実施形態及び変形例において述べた態様によりもたらされる他の作用効果について本明細書記載から明らかなもの、又は当業者において適宜想到し得るものについては、当然に本発明によりもたらされるものと解される。
【符号の説明】
【００８１】
１、１Ａ、１Ｂ、１Ｃ、１Ｄ、１Ｅ、１Ｆ  表示装置
１０、１０Ａ、１０Ｂ、１０Ｃ、１０Ｄ、１０Ｅ、１０Ｆ  表示装置用基板
１２  ゲートドライバ
１３  ソースドライバ
２１  第１基板
２２  第２基板
３２、３２Ｃ  透光性着色層
３２１、３２１Ｂ  第１透光性着色層
３２２、３２２Ｂ  第２透光性着色層
３２３Ｂ  第３透光性着色層
３２５  スペーサ
３３  遮光層
４２  透光性樹脂層
５  液晶層
５１、５２  配向膜
５３、５３Ｃ  スペーサ
５３Ｅ  着色スペーサ
６１  対向電極
６２  画素電極
７６  液晶容量
７７  保持容量
Ａ１  表示領域
Ａ２  額縁領域
ＧＣＬ  走査線
Ｐｉｘ  画素
ＳＧＬ  信号線
Ｔｒ  スイッチング素子
Ｖｃｏｍ  コモン電位
Ｖｐｉｘ  画素信号
Ｖｓｃａｎ  走査信号
【図１】
2017207582.tif 000003
【図２】
2017207582.tif 000004
【図３】
2017207582.tif 000005
【図４】
2017207582.tif 000006
【図５】
2017207582.tif 000007
【図６】
2017207582.tif 000008
【図７】
2017207582.tif 000009
【図８】
2017207582.tif 000010
【図９】
2017207582.tif 000011
【図１０】
2017207582.tif 000012
【図１１】
2017207582.tif 000013
【図１２】
2017207582.tif 000014
【図１３】
2017207582.tif 000015
【図１４】
2017207582.tif 000016
【図１５】
2017207582.tif 000017